(57)【要約】【課題】  簡単な方法で、生花や植物と殆んど変らない色調や形状を、長期間保存、鑑賞できるドライフラワーを製造しうる方法を開発すること【解決手段】  ドライフラワー製造の際に乾燥剤としてＣａＯを使用すること【選択図】    なし【特許請求の範囲】
【請求項１】
乾燥剤としてＣａＯを使用することを特徴とするドライフラワーの製造方法
【請求項２】
更に少量のグリセリンを併用する請求項１に記載のドライフラワーの製造方法
【請求項３】
グリセリンがＣａＯ１００重量部に対し、５重量部以下である請求項２に記載のドライフラワーの製造方法
【請求項４】
請求項１〜３のいずれかの乾燥剤中に生花又は植物を埋設し、密封して、その後自然乾燥させることを特徴とするドライフラワーの製造方法
【発明の詳細な説明】
【技術分野】
【０００１】
本発明はドライフラワーの製造方法に関し、その目的とする所は、従来のドライフラワーより一層自然そのままの色調や形状で、長期間外気中で保存、鑑賞出来るドライフラワーを提供することである。
【背景技術】
【０００２】
従来のドライフラワーの製造方法は、生花や一般の生植物を乾燥剤中に埋設し、一定期間そのままの状態で密封して自然乾燥して製造する方法が最も代表的な方法であり、この際使用される乾燥剤はシリカゲルが最も多く使用されている。
【０００３】
またその他各種の薬品、樹脂類、酵素等も使用されることもあり、更にはこれ等各種の成分をシリカゲルと併用する場合もある。更にはマイクロ波を照射するという方法が行なわれることもある。
【０００４】
しかし乍ら、従来の方法では、いずれの方法によっても、下記の様な問題点が少なくとも１つ発生するものであった。即ち
（イ）ドライフラワーにした（製造した）時、元の生花や植物の色調や形状をそのまま自然の状態で再現出来ず、色調や形状が生花や植物と変ったものとなり、形状も収縮したりするものが多かった。
（ロ）ドライフラワーを長期間保存することが非常に難しかった。即ちドライフラワーを長期間外気中で保存すると、製造した時のドライフラワーの色調や形状が経時的に変化してしまい、長期間これをそのまま保存し、鑑賞することが極めて困難であった。
（ハ）薬品、樹脂類、酵素等を使用する場合は、煩雑な操作が必要で、簡単に製造することが出来ず、また余分な費用がかかるものであった。
【発明の開示】
【発明が解決しようとする課題】
【０００５】
本発明が解決しようとする課題は、上記従来のドライフラワーの製造方法の難点を解消することであり、更に詳しくは簡単な方法で、生花や植物と殆んど変らない色調や形状を、長期間保存、鑑賞できるドライフラワーを製造しうる方法を開発することである。
【課題を解決するための手段】
【０００６】
この課題は、ドライフラワーを製造するに際し、乾燥剤としてＣａＯを使用すること、更にこのＣａＯに少量のグリセリンを併用することによって解決される。
【０００７】
本発明者の研究に依ると、ドライフラワーの乾燥剤としてＣａＯ就中粉末を使用して、生花や植物をこのＣａＯ中に埋設し、そのままの状態で、密封して自然乾燥すると、通常５０〜１５０時間程度で、生花や植物の色調や形状が殆んど変化せずにそのままでドライフラワーが製造できることが見出された。
【０００８】
更にこの際、本発明者の研究に依り下記の様な新しい事実も見出された。
即ちＣａＯ粉末を用いてドライフラワーを製造する時、ＣａＯ微粉がどうしても、飛散し、環境衛生上望ましくなく、また作業者の衛生管理上の問題も生じ、加えて飛散したＣａＯ微粉末が生花や植物表面に付着し、惹いては製造したドライフラワーにそのまま残存してしまうという恐れがある。このＣａＯ微粉末の飛散は少量のグリセリンを併用することにより、未然に防止出来ることが本発明者の研究で明らかとなった。しかも実に驚くべきことに、この際併用する少量のグリセリンは生花や植物の色調や形状の変化に殆んど悪影響をあたえることなく、ＣａＯ微粉末の飛散を有効に防止し得ることも本発明者の研究により新たに見出された。
【０００９】
本発明はこれ等の新しい発見に基づいて完成されている。
【発明の効果】
【００１０】
本発明法によると、生花や植物と殆んど変らない色調や形状を長期間保存、鑑賞できるドライフラワーを簡単な方法で製造出来、その産業上の効果は極めて大きい。
【発明を実施するための最良の形態】
【００１１】
本発明に於いて使用するＣａＯはドライフラワーの乾燥剤として使用されたことは従来全くないものである。このＣａＯは通常粉末で使用し、その粒度は３．５ｍｍ以下、好ましくは０．１ｍｍ〜３ｍｍ程度、特に好ましくは０．５ｍｍ〜１．５ｍｍ程度である。この際、ＣａＯの粒度があまりにも小さくなりすぎると粉末が製品に付着して取れにくくなる傾向があって好ましくなく、また逆にあまりにも大きくなりすぎると容器と生花等の間の狭い所に入りにくくなり、葉の表面に凹凸が出来る傾向があり望ましくない。
【００１２】
なおＣａＯには少量の不純物が含まれていても良く、更にはごく少量の水酸化カルシウムＣａ(ＯＨ)２や炭化カルシウムＣａＣＯ３が含まれていても良い。
【００１３】
本発明に於いてはＣａＯに少量のグリセリンを併用することが極めて好ましい。このグリセリンの使用により、ＣａＯの微粉末の飛散を有効に防止することが出来、惹いては目的物ドライフラワーにＣａＯ微粉末が付着するのを防ぐことが出来る。なお、すでに若干述べたが、グリセリンを併用しても、ドライフラワー製造時に何等の悪影響も与えず、ＣａＯ単独使用と同様に優れたドライフラワーを製造することが出来る。
【００１４】
このグリセリン使用量はＣａＯ１００重量部に対し５重量部以下であり、好ましくは２〜４重量部程度である。この際グリセリンの使用量が５重量部より多くなると、ドライフラワーの色調や形状が元の生花や植物に比し変化してしまう傾向がある。
【００１５】
本発明に於いてドライフラワーを製造する際に使用される生花や植物としては、広く各種の生花や植物が使用され、たとえば、サクラ、バラ、サツキ、ツツジ、アジサイ、ツバキ、その他の如き生花や松類、竹類等の植物が例示できる。
【００１６】
本発明に於いて、ＣａＯ又はこれとグリセリンを用いてドライフラワーを製造する方法自体は、乾燥剤として上記特定のものを使用する以外は、従来公知の方法を適用することが出来る。代表的な方法は生花や植物を本発明乾燥剤で埋設し密封して、５０〜１５０時間好ましくは７０〜１２０時間程度常温でそのまま自然乾燥すれば良い。
【００１７】
更に代表的な例を例示すれば以下の通りである。
図１に示す逆円錐形の容器（１）の中に本発明の乾燥剤を少量入れ、次いで生花又は植物などを差し込みながら丁寧に生花や植物などの形を壊さない様に本発明乾燥剤を生花や植物などの下から順次、全体が埋まるまで入れ、密封して５０〜１５０時間程度放置する。
【００１８】
なおこの場合、容器（１）と生花や植物との間には必ず乾燥剤を入れ、出来れば生花や植物間例えば葉と葉との間にも乾燥剤を出来るだけ入れるようにすることが好ましく、また自然乾燥後ドライフラワーを取り出すには、容器（１）の横側を切り開いて取り出すことが好ましい。
【００１９】
この容器（１）の材質は特に限定されず、各種の合成樹脂製のものを始め、その他、金属、耐水性を付与した紙でも良い。またその大きさは、使用する生花や植物などの大きさに合せて適宜決定する。
【００２０】
また他の代表例として、図２に示す様な容器を用いる方法を例示出来る。更に詳しく以下に説明する。
【００２１】
図２に示す箱型容器（２）を用い、その底に一面本発明乾燥剤を敷きつめ、その上から生花または植物等を載置し、出来るだけ葉などが重ならないように注意深く、横側から乾燥剤を用いて覆ってゆく。全体を完全に被覆したら蓋をして密封し自然乾燥する。なお、所定時間自然乾燥して製造したドライフラワーは1日〜２日間逆さまに吊っておくことが好ましい。
【実施例１】
【００２２】
図1に示す容器（１）に少量のＣａＯ粉末を投入し、次に花（バラ）を上になるように差し入れ、丁寧にＣａＯ粉末を入れ、花を完全に埋設し、１００時間密封したまま常温で放置してドライフラワーを製造した。この時のＣａＯ粉末の粒度は平均粒径０．５ｍｍであった。得られたドライフラワーの色調も形状も殆んど生花と変らなかった。
【実施例２】
【００２３】
図２の箱型容器（２）を用い、ＣａＯ１００重量にグリセリン３重量部を添加して均一に混合した乾燥剤を用いて平戸つつじの植物のドライフラワーを製造した。その方法は、容器（２）の底に上記乾燥剤を入れ、その上から上記植物を載置し、その上から乾燥剤を入れて完全に植物を埋設し、３〜５時間密封してそのまま放置して自然乾燥してドライフラワーを製造した。得られたドライフラワーは元の植物の色調や形状と殆んど同じものであった。
【図面の簡単な説明】
【００２４】
【図１】図１は本発明法実施の際に使用される容器の一例を示す図面である。
【図２】図２は本発明法実施の際に使用される他の容器の一例を示す図面である。
【符号の説明】
【００２５】
１・・・容器
２・・・容器
【図１】
2005319641.tif 000002
【図２】
2005319641.tif 000003